(57)【要約】【課題】本発明は袖付けの際に、より簡素化された技術で、多くの素材に利用できる為、いろいろなデザイン・機能への対応が可能になる。【解決手段】本発明は、肩・身頃を楔状三角形にカットされた凹部分と凸状にカットされた袖部分を同寸直線で縫合し、凹凸それぞれのＶの角度を変えることによってＶの底辺部の距離差が自由に変えられ、その差寸巾によるユトリと運動量を確保し、さらに縫合部分が同寸のために、楔状三角形の凹凸の高さが違う物の縫合になり、アームホールが固定されないので、腕の動きに追随し、腕の運動量までも確保し、問題点を解決している。【選択図】図５
2006257611.tif 000002
【特許請求の範囲】
【請求項１】
身頃部分と袖部分を別形の三角形の凸凹で縫い合わせることによって従来のイセコミに変わってユトリと動きやすい立体的な袖を形成する手法
【発明の詳細な説明】
【技術分野】
【０００１】本発明は、袖のパターン・縫製に関するものである。
【背景技術】
【０００２】袖付けにおいて平面的な生地を着やすく縫合する為に、製品のユトリと運動量を出す従来の手法のひとつに、イセコミがあるが、綿・合繊などの動きのない素材などではほとんどピリ付かせないでイセコムことが大変難しかったり、イセコミによる肩線の膨らみというデザイン上の問題など、素材の物理的な問題やイセコミの技術的な問題から縫い合わされる２枚の素材の制限とデザインの制限があり、かつ従来の袖付けは、アームホールが固定されるために、腕を動かし辛い。
【発明の開示】
【発明が解決しようとする課題】
【０００３】袖のアームホールは、小さいほうが動きやすいが、ホールを小さくすると腕の筒巾も小さくなってしまって動きにくいのは、身頃のアームホールの大きさと筒袖のホールの大きさの差寸に限度があり、たとえば袖付けのイセコミの分量は、せいぜい入れても１０％位が限界で、綿の素材等の固い素材でのイセコミはほとんどと言って良いくらい入らないし、基本的には人間の手による高い技術が求められという問題や、アームホールが固定されて腕を動かし辛いという問題があった。そこで縫合する２枚の差寸も従来のイセコミ以上に大きくすることができ、柔らかい素材だけでなく動きのない固い素材など素材にも広く使え、アームホールが固定されないで、より効果的なユトリと、技術的により簡単なパターン・縫製仕様を提供することを目的とする。
【課題を解決するための手段】
【０００４】本発明は、肩・身頃を楔状三角形にカットされた凹部分と凸状にカットされた袖部分を同寸直線で縫合し、凹凸それぞれのＶの角度を変えることによってＶの底辺部の距離差が自由に変えられ、その差寸巾によるユトリと運動量を確保し、さらに縫合部分が同寸のために、楔状三角形の凹凸の高さが違う物の縫合になり、アームホールが固定されないので、腕の動きに追随し、腕の運動量までも確保し、上記の問題点を解決している。
【発明の効果】
【０００５】従来の袖付けが難しかった動きのない素材のイセコミ分量がより簡単に自由な場所にでき、アームホールが固定されないので、より人の動きに対応できる立体的な形とユトリをつくることが可能になる【０００６】イセコミ範囲やイセコミ分量も場所も素材に関係なく自由に変る事が可能で、デザインが広がり、肩・袖だけでなく、動きとゆとりを必要とする部位、たとえば肘・膝などにも使うことが出来る。
【発明の実施するための最良の形態】
【０００７】従来の袖付けは、アームホールが小さいほど腕を上げた時に脇下の引っ掛かりがなく、動き易いと言われているが、アームホールが小さいと袖の筒巾全体が小さくなって二の腕の太い男性だと腕周りが窮屈になってしまうため、身頃と袖部のアームホールの大きさを変えて、イセコミという縫製技法で付けられている。たとえば身頃全周約５４ｃｍのアームホールに対して、素材によって異なるが、山袖でのイセコミ分量最大２〜３ｃｍ位で、下袖で１〜１．５ｃｍくらい大きい袖部のアームホールをイセコミと言う高いレベルの縫製技術によって作られる。しかし、その差寸の限界とその固定されたアームホールから動き易い小さなアームは、腕を動かしにくいし、腕の太いアームホールは、ホール下部が引っ掛かって上に腕が上がらない。そこで、身頃の肩部分にＶ字の切り込み楔状三角形凹を作り、縫合される袖部に楔状三角形凸を作り、それぞれの楔状三角形凹凸の底辺部分の差寸が、所謂イセコミ分量にあたるが、肩上部で２ｃｍ脇下で２ｃｍ背で１ｃｍなどと言うことも可能であり、イセコミ分量の多いときに見られるピリツキもなく、イセコミの難しい素材でも簡単にでき、且つ身頃と袖部の楔状凸凹の高さの違いによって、アームホールが固定されないので、縦方向のユトリにもなり、従来の上衣より動き易い着心地と、直線の同寸縫合と言う比較的簡単な縫製技術で、上衣の機能性と縫製技術の簡素化を生み出している。
【実施例】
【０００８】以下、添付図面に従って一実施例を説明する。図１は、一般的な上衣の表生地用全パターンである。図２は通常の上衣の前身頃パターンのアームホール部分であり、図３は、後身頃とサイバラのパターンのアームホール部分で、この３パターンが身頃部分のアームホールとなる。図２のアーム部分の寸法は約２４ｃｍで、図３のアームホール部分の寸法は後身頃で１８ｃｍサイバラで１２ｃｍで、身頃側のアームホール全体では５４ｃｍとなる。図４は、袖部のパターンで、山袖部分のアームホール寸法は３５ｃｍで、谷袖部分のアームホール寸法は２３．５ｃｍで、合計袖部のアームホールの寸法は５８．５ｃｍとなり、身頃と袖部の差寸は４．５ｃｍと言うことになり、それが所謂イセコミ分量である。【０００９】図５に示されているように、前身頃・後身頃を楔状三角形凹でカットされたパターンで、身頃アームホール部分が２０ｃｍのところに、図６に示されているように、山袖のアーム縫合部分の２２．５ｃｍをつける。ただし、縫合の直線は同寸の楔状三角形凸で、たとえば、後身頃の山袖縫合部分図５ａと袖部の後身頃縫合部分図６ｄが同寸法であり、前身頃の山袖縫合部分図５ｂと袖部の前身頃縫合部分図６ｅが同寸であることが縫いやすさの面でのポイントである。【００１０】図５ｃと図６ｆのようにそれぞれ高さの違うものの縫合によって、ちょうどｃとｆの中間の高さに落ち着き、固定されない動きのあるアームホールができ、結果的にその差寸も運動量になってくる。【００１１】図７のように脇下にも前身頃・後身頃を楔状三角形凹で巾１９．５ｃｍ高さ５．８ｃｍカットされた身頃に、図８のような巾２１．５ｃｍ高さ４．８ｃｍの楔状凸形付けた下袖を同寸で縫合することによって、巾差の２ｃｍが山袖同様にイセコミ分量となり、縦方向にも山袖同様に、身頃と袖部の高さの違いから動きやすい運動量が生まれる。【００１２】山袖部分で２．５ｃｍ、脇下部分で２ｃｍ、合計４．５ｃｍのイセコミが直線で形成された楔状三角形凸凹の縫合によって簡単に可能になり、さらにアームホールが固定されないので動きに対しても、追随しやすく動きやすいアームホールができる。
【産業上の利用可能性】
【００１３】運動量のあまり加味されてない、動きにくい従来のビジネススーツに変わって、この新しいイセコミ技法は、デザインによっては、肩部や脇下だけでなく背部などアームホールのどの位置にも、どんな分量のイセコミが可能であり、かつ、アームホールが固定されないので、人間の腕の動きに追随し、より腕が動かしやすく、デスクワークにより適した着易い新しいビジネススーツへの発展の可能性がある。
【図面の簡単な説明】
【００１４】
【図１】一般的な上衣のパターンである。
【図２】前身のアームホール部分の図である。
【図３】後身のアームホール部分の図である。
【図４】一般的な袖部のアームホールの図である。
【図５】トライアングル・スリーブの前身と後身の肩部縫合図である。
【図６】トライアングル・スリーブの山袖パターンの図である。
【図７】トライアングル・スリーブの前身の脇部縫合図である。
【図８】トライアングル。スリーブの下袖パターンの図である。
【図１】
2006257611.tif 000003
【図２】
2006257611.tif 000004
【図３】
2006257611.tif 000005
【図４】
2006257611.tif 000006
【図５】
2006257611.tif 000007
【図６】
2006257611.tif 000008
【図７】
2006257611.tif 000009
【図８】
2006257611.tif 000010